(57)【要約】【課題】換気装置に使用される制御装置において、各温湿度、ＶＯＣ、煙、喫煙、二酸化炭素濃度、換気量、換気扇の運転状態といった環境表示、換気扇制御を個別の部屋内のみでなく、任意の部屋から各表示及び制御を行うことを目的とする。【解決手段】換気装置に使用される表示及び制御装置において、各室の空気の状態を検出する空気状態検出手段１と、前記空気状態検出手段１により検出した空気の状態を一括表示する空気状態表示手段３を備えることにより、各室の空気の状態表示及び換気扇制御を互いの部屋から各室の温湿度、ＶＯＣ、煙、喫煙、二酸化炭素濃度、換気量、換気扇の運転状態の確認及び換気扇の制御を行うことを可能とする。【選択図】図１ 
2005098571.tif 000002
【特許請求の範囲】
【請求項１】
少なくとも２室以上の各室の空気の状態を検出する空気状態検出手段と、前記空気状態検出手段により検出した空気の状態を一括表示する空気状態表示手段を備えた換気集中制御装置。
【請求項２】
少なくとも２室以上の各室のＶＯＣ濃度を検出するＶＯＣ濃度検出手段と、前記ＶＯＣ濃度検出手段により検出したＶＯＣ濃度を一括表示するＶＯＣ濃度表示手段を備えた換気集中制御装置。
【請求項３】
少なくとも２室以上の各室の煙、喫煙状態を検出する煙状態検出手段と、前記煙状態検出手段により検出した煙、喫煙状態を一括表示する煙状態表示手段を備えた換気集中制御装置。
【請求項４】
少なくとも２室以上の各室の二酸化炭素濃度を検出する二酸化炭素濃度検出手段と、前記二酸化炭素検出手段により検出した二酸化炭素濃度を一括表示する二酸化炭素濃度表示手段を備えた換気集中制御装置。
【請求項５】
少なくとも２室以上の各室の換気量を検出する換気量検出手段と、前記換気量検出手段により検出した換気量を一括表示する換気量表示手段を備えた換気集中制御装置。
【請求項６】
少なくとも２室以上の各室の換気扇に設置した各換気扇の運転状態を出力する運転状態出力手段と、各換気扇の運転状態を一括表示する換気扇運転状態表示手段を備えた換気集中制御装置。
【請求項７】
少なくとも２室以上の各室の換気量の異常を検出する換気異常検出手段と、前記換気異常検出手段により検出した換気量の異常を一括表示する換気異常表示手段を備えた換気集中制御装置。
【請求項８】
少なくとも２室以上の各室の室内換気風路の異常を検出する換気風路異常検出手段と、前記換気風路異常検出手段により検出した室内換気風路の異常を一括表示する換気風路異常表示手段を備えた換気集中制御装置。
【請求項９】
少なくとも２室以上の各室の室内換気扇のメンテナンスの必要性を検出する換気扇メンテナンス検出手段と、前記換気扇メンテナンス検出手段により検出した室内換気扇のメンテナンスの必要性を一括表示する換気扇メンテナンス表示手段を備えた換気集中制御装置。
【請求項１０】
表示内容を切り換える表示切換手段を備えた請求項１から９何れかに記載の換気集中制御装置。
【請求項１１】
空気の状態により換気扇の運転あるいは停止を行う換気扇制御手段を備えた請求項１記載の換気集中制御装置。
【請求項１２】
空気の状態により換気扇の強弱運転を切り換える、あるいは換気扇の風量を無段階の任意風量に切り換える第二換気扇制御手段を備えた請求項１記載の換気集中制御装置。
【請求項１３】
室内のＶＯＣ濃度により換気扇の運転あるいは停止を行う第三換気扇制御手段を備えた請求項２記載の換気集中制御装置。
【請求項１４】
室内のＶＯＣ濃度により換気扇の強弱運転を切り換える、あるいは換気扇の風量を無段階の任意風量に切り換える第四換気扇制御手段を備えた請求項２記載の換気集中制御装置。
【請求項１５】
室内の煙、喫煙状態により換気扇の運転あるいは停止を行う第五換気扇制御手段を備えた請求項３記載の換気集中制御装置。
【請求項１６】
室内の煙、喫煙状態により換気扇の強弱運転を切り換える、あるいは換気扇の風量を無段階の任意風量に切り換える第六換気扇制御手段を備えた請求項３記載の換気集中制御装置。
【請求項１７】
室内の二酸化炭素濃度により換気扇の運転あるいは停止を行う第七換気扇制御手段を備えた請求項４記載の換気集中制御装置。
【請求項１８】
室内の二酸化炭素濃度により換気扇の強弱運転を切り換える、あるいは換気扇の風量を無段階の任意風量に切り換える第八換気扇制御手段を備えた請求項４記載の換気集中制御装置。
【請求項１９】
換気量検出手段により検出した換気量から室内の積算換気量を演算する積算換気量演算手段と、演算した積算換気量により換気扇の運転あるいは停止を行う第九換気扇制御手段を備えた請求項５記載の換気集中制御装置。
【請求項２０】
換気量検出手段により検出した換気量から室内の積算換気量を演算する積算換気量演算手段と、演算した積算換気量により換気扇の強弱運転を切り換える、あるいは換気扇の風量を無段階の任意風量に切り換える第十換気扇制御手段を備えた請求項５記載の換気集中制御装置。
【請求項２１】
換気扇の固定風量運転、最適風量運転、手動風量運転を切り換える運転切換手段を備えた請求項１１から２０何れかに記載の換気集中制御装置。
【発明の詳細な説明】
【技術分野】
【０００１】
本発明は、複数台の換気装置の運転情報表示、及び制御する集中制御装置に関する。
【背景技術】
【０００２】
近年、住宅の気密性が高くなっていることや、有害となる化学物質を放出する建材の使用およびエアコンなどの普及により、窓を開けないなど、生活環境の変化から室内の空気に有害なガス成分が多く含まれることとなっており、シックハウス症候群の原因とされている。その対策として建築基準法が改正されるなど、換気装置の必要性、関心は高まっており、換気装置の運転状態、清掃、保守、点検の時期などを報知し、使用者へ注意を促す表示手段や、自動で換気制御する自動制御手段を備えた換気装置が求められている。
【０００３】
また、電動機などの要素技術の進歩により換気装置の長寿命化が促進されているが、換気装置が使用される実態としては、連続通電のまま過酷な状態での使用が一般的である。また、清掃や保守、点検も行われることは少なく、埃、油煙などによる換気能力の低下、さらには電動機の回転が妨げられロックした状態となり、連続通電により電動機が加熱することもある。よって、換気装置の運転状態、清掃、保守、点検の時期などを報知し、使用者へ注意を促す表示手段や、自動で換気制御する自動制御手段を備えた換気装置が求められている。
【０００４】
従来、この種の自動換気装置は、空気汚れ検出素子を備え、空気の汚れ度合いを示すものが知られている（例えば、特許文献１参照）。
【０００５】
以下、その自動換気装置について図４８および図４９を参照しながら説明する。
【０００６】
図４８に示すように、自動換気装置１０１は、使用者が操作するキー入力部１０１と、換気対象となる部屋の空気の状態、例えば空気の汚れなどの空気質を検出するセンサや温度を検出する温度センサなどから構成されるセンサ検出部１０２と、換気の対象となる部屋あるいはこの部屋に連通された空間に設けられた換気扇１０３と、前記キー入力部１０１ならびにセンサ検出部１０２からの入力に基づいて前記換気扇１０３の駆動を制御する制御 ユニット１０４とにより構成されている。
【０００７】
また、図４９は実施の形態２の全体図であって、制御ユニット１０４に、ＬＥＤ製の風量表示灯１０５ａの点灯・消灯、および自動モード表示灯１０５ｂの点灯・点滅・消灯を切り替える動作表示部１０６ａが設けられている。前記風量表示灯１０５ａおよび自動モード表示灯１０５ｂは、図４９に示すようにキー入力部１０１に設けられており、風量表示灯１０５ａは、点灯箇所によって換気扇１０３の運転風量（「弱」「中」「強」）を表示し、自動モード表示灯１０５ｂは、点灯により自動運転モードが「ＯＮ」であることを示し、点滅により自動運転モードが「ＯＮ」であり現在は手動運転を行っていることを示し、消灯により自動運転モードが「ＯＦＦ」であることを示す。
【０００８】
上記の構成により、自動換気装置１０１は、空気の汚れにより自動運転することとなり、また風量表示を行うこととなる。
【特許文献１】特開平９−１６６３４２号公報
【発明の開示】
【発明が解決しようとする課題】
【０００９】
このような従来の換気制御装置では、個別の部屋内の温度、湿度といった空気状態しか表示できないことから、住宅全体の温度、湿度状態を把握することができないという課題があり、どこの部屋からであっても、別の部屋の空気状態を表示することが要求されている。
【００１０】
本発明は、このような従来の課題を解決するものであり、どこの部屋からであっても、別の部屋の空気状態を表示することができる換気集中制御装置を提供することを目的としている。
【００１１】
また、各室個々のＶＯＣ濃度や煙、喫煙状態、二酸化炭素濃度、換気量、及び換気扇の運転状態を各室でのみしか表示できないという課題があり、別室からであっても住宅全体のＶＯＣ、煙、喫煙状態による局所的な空気質の悪化や住宅内の人の集中による人いきれを確認することが要求されている。
【００１２】
本発明は、このような従来の課題を解決するものであり、どこの部屋からであっても、別の部屋のＶＯＣ濃度、煙、喫煙状態、二酸化炭素濃度、換気量及び換気扇の運転状態を表示することができる換気集中制御装置を提供することを目的としている。
【００１３】
さらに、各室の必要な外気導入のための換気風路の異常の表示機能を有しないため、換気扇の能力低下を誘発させ、住宅内の空気質を悪化させるという課題があり、各室の換気扇の運転環境として換気風路が確保できていないことを別室からであっても表示、警告することが要求されている。
【００１４】
本発明では、このような従来の課題を解決するものであり、各室の必要外気導入量を確保するための換気風路が確保できているかどうかをどの居室からも表示、警告確認することができる換気集中制御装置を提供することを目的としている。
【００１５】
また、各室の換気扇に付随するフィルタの汚れによる目詰まり等、換気量に影響するメンテナンスの必要性を別室であっても確認することが要求されている。
【００１６】
本発明では、このような従来の課題を解決するものであり、メンテナンス不足による過少換気を未然防止するための警告を別室からであっても行うことができる換気集中制御装置を提供することを目的としている。
【００１７】
さらに、各室個別の空気質状態、換気扇の運転状態、各種異常状態を別室にも表示することが要求されている。
【００１８】
本発明では、このような従来の課題を解決するものであり、各室の空気状態の監視、及び装置異常を別室からであっても確認することができる換気集中制御装置を提供することを目的としている。
【００１９】
また、各室の温度湿度、ＶＯＣ濃度、喫煙や調理による煙状態、さらに各室の在室人数の増減による二酸化炭素濃度から換気扇の運転停止、ノッチの切換制御を別室からも制御することを要求されている。
【００２０】
本発明では、このような従来の課題を解決するものであり、各室の換気扇の運転停止、ノッチの切換制御を別室からも制御することを可能とし、空気質の悪化を防ぐと同時に、エネルギーの消費量の削減も行うことができる換気集中制御装置を提供することを目的としている。
【００２１】
さらに、各室の換気風路の確保状態の時間変化に応じて、別室からであっても換気扇の運転停止制御、ノッチの切換制御を行うことが要求されている。
【００２２】
本発明では、このような従来の課題を解決するものであり、別室からであっても必要換気量より多くの換気を行うことなく、電気使用量を削減することができる換気集中制御装置を提供することを目的としている。
【課題を解決するための手段】
【００２３】
本発明の換気集中制御装置は上記目的を達成するために、少なくとも２室以上の各室の空気の状態を検出する空気状態検出手段と、前記空気状態検出手段により検出した空気の状態をどの居室にも一括表示する空気状態表示手段を備える構成としたものである。
【００２４】
この手段によりどの居室にも、各室の空気の状態を表示することができ、住宅全体の空気状態を確認することができる換気集中制御装置が得られる。
【００２５】
また、本発明の換気集中制御装置は上記目的を達成するために、少なくとも２室以上の各室のＶＯＣ濃度を検出するＶＯＣ濃度検出手段と、前記ＶＯＣ濃度検出手段により検出したＶＯＣ濃度をどの居室にも一括表示するＶＯＣ濃度表示手段を備える構成としたものである。
【００２６】
これによりどの居室にも各室のＶＯＣ濃度を表示することができ、住宅の局所的な空気質の悪化を確認することができる換気集中制御装置が得られる。
【００２７】
さらに、本発明の換気集中制御装置は上記目的を達成するために、少なくとも２室以上の各室の煙、喫煙状態を検出する煙状態検出手段と、前記煙状態検出手段により検出した煙、喫煙状態をどの居室にも一括表示する煙状態表示手段を備える構成としたものである。
【００２８】
これによりどの居室にも各室の煙、喫煙状態を表示することができ、住宅の局所的な空気質の悪化を確認することができる換気集中制御装置が得られる。
【００２９】
また、本発明の換気集中制御装置は上記目的を達成するために、少なくとも２室以上の各室の二酸化炭素濃度を検出する二酸化炭素濃度検出手段と、前記二酸化炭素検出手段により検出した二酸化炭素濃度をどの居室にも一括表示する二酸化炭素濃度表示手段を備える構成としたものである。
【００３０】
これによりどの居室にも各室の二酸化炭素濃度を表示することができ、住宅内の人の集中、人いきれを確認することができる換気集中制御装置が得られる。
【００３１】
さらに、本発明の換気集中制御装置は上記目的を達成するために、少なくとも２室以上の各室の換気量を検出する換気量検出手段と、前記換気量検出手段により検出した換気量をどの居室にも一括表示する換気量表示手段を備える構成としたものである。
【００３２】
これによりどの居室にも各室の換気量を表示することができ、各室の空気質の悪化を事前に予測することができる換気集中制御装置が得られる。
【００３３】
また、本発明の換気集中制御装置は上記目的を達成するために、少なくとも２室以上の各室の換気扇に設置した各換気扇の運転状態を出力する運転状態出力手段と、各換気扇の運転状態をどの居室にも一括表示する換気扇運転状態表示手段を備える構成としたものである。
【００３４】
これによりどの居室にも各室の換気扇の運転状態を表示することができ、各室の換気状態を確認することができる換気集中制御装置が得られる。
【００３５】
さらに、本発明の換気集中制御装置は上記目的を達成するために、少なくとも２室以上の各室の換気量の異常を検出する換気異常検出手段と、前記換気異常検出手段により検出した換気量の異常をどの居室にも一括表示する換気異常表示手段を備える構成としたものである。
【００３６】
これによりどの居室にも各室の換気量の異常を表示することができ、過少換気時の空気質悪化の事前確認、換気量過多時の電気使用量の増加確認、換気扇による換気異常確認を行うことができる換気集中制御装置が得られる。
【００３７】
また、本発明の換気集中制御装置は上記目的を達成するために、少なくとも２室以上の各室の室内換気風路の異常を検出する換気風路異常検出手段と、前記換気風路異常検出手段により検出した室内換気風路の異常をどの居室にも一括表示する換気風路異常表示手段を備える構成としたものである。
【００３８】
これによりどの居室にも各室の必要な外気導入のための換気風路の異常を表示することができ、各室の換気扇の運転に対する所定の外気導入が出来ていないことを警告することができる換気集中制御装置が得られる。
【００３９】
さらに、本発明の換気集中制御装置は上記目的を達成するために、少なくとも２室以上の各室の室内換気扇のメンテナンスの必要性を検出する換気扇メンテナンス検出手段と、前記換気扇メンテナンス検出手段により検出した室内換気扇のメンテナンスの必要性をどの居室にも一括表示する換気扇メンテナンス表示手段を備える構成としたものである。
【００４０】
これによりどの居室にも各室の換気扇に付随するフィルタの汚れによる目詰まり等、換気量に影響するメンテナンスの必要性を表示することができ、メンテナンス不足による過少換気を未然防止するための警告を行うことができる換気集中制御装置が得られる。
【００４１】
また、本発明の換気集中制御装置は上記目的を達成するために、表示内容を切り換える表示切換手段を備える構成としたものである。
【００４２】
これによりどの居室にも各室個別の空気質状態、換気扇の運転状態、各種異常状態を表示することができ、各室の空気状態の監視、及び装置異常を確認することができる換気集中制御装置が得られる。
【００４３】
さらに、本発明の換気集中制御装置は上記目的を達成するために、どの居室からでも空気の状態により換気扇の運転あるいは停止を行う換気扇制御手段を備える構成としたものである。
【００４４】
これにより任意の居室から換気扇の制御を行うことで、空気質の悪化を防ぐと同時に、エネルギーの消費量の削減も行うことができる換気集中制御装置が得られる。
【００４５】
また、本発明の換気集中制御装置は上記目的を達成するために、どの居室からでも空気の状態により換気扇の強弱運転を切り換える、あるいは換気扇の風量を無段階の任意風量に切り換える第二換気扇制御手段を備える構成としたものである。
【００４６】
これにより任意の居室から換気扇のノッチの切換制御を行うことで、空気質の悪化を防ぐと同時に、エネルギーの消費量をより効果的に削減することができる換気集中制御装置が得られる。
【００４７】
さらに、本発明の換気集中制御装置は上記目的を達成するために、どの居室からでも室内のＶＯＣ濃度により換気扇の運転あるいは停止を行う第三換気扇制御手段を備える構成としたものである。
【００４８】
これにより室内のＶＯＣ濃度を上昇させることなく、シックハウスを防止する必要十分な換気制御を任意の居室から行うことができる換気集中制御装置が得られる。
【００４９】
また、本発明の換気集中制御装置は上記目的を達成するために、どの居室からでも室内のＶＯＣ濃度により換気扇の強弱運転を切り換える、あるいは換気扇の風量を無段階の任意風量に切り換える第四換気扇制御手段を備える構成としたものである。
【００５０】
これにより任意の居室から換気制御を行うことで室内のＶＯＣ濃度を上昇させることなく、シックハウスを防止する必要十分な換気制御をよりきめ細かに行うと同時に、エネルギーの消費量をより効果的に削減することができる換気集中制御装置が得られる。
【００５１】
さらに、本発明の換気集中制御装置は上記目的を達成するために、どの居室からでも室内の煙、喫煙状態により換気扇の運転あるいは停止を行う第五換気扇制御手段を備える構成としたものである。
【００５２】
これにより任意の居室から各室の喫煙や調理による局所的、瞬時的な空気質の悪化に対し、換気扇を運転することができ、空気質の悪化を抑制することができる換気集中制御装置が得られる。
【００５３】
また、本発明の換気集中制御装置は上記目的を達成するために、どの居室からでも室内の煙、喫煙状態により換気扇の強弱運転を切り換える、あるいは換気扇の風量を無段階の任意風量に切り換える第六換気扇ノッチ制御手段を備える構成としたものである。
【００５４】
これにより任意の居室から各室の喫煙や調理による局所的、瞬時的な空気質の悪化に対し、換気扇を運転することができ、空気質の悪化をよりきめ細かに抑制することができると同時に、エネルギーの消費をより効果的に削減することができる換気集中制御装置が得られる。
【００５５】
さらに、本発明の換気集中制御装置は上記目的を達成するために、どの居室からでも室内の二酸化炭素濃度により換気扇の運転あるいは停止を行う第七換気扇制御手段を備える構成としたものである。
【００５６】
これにより任意の居室から各室の在室人数の増加、減少による二酸化炭素の発生量変化に応じて、換気扇の発停を行うことができ、過少換気による人いきれの防止、換気量過多による電気使用量の無駄の排除を行うことができる換気集中制御装置が得られる。
【００５７】
また、本発明の換気集中制御装置は上記目的を達成するために、どの居室からでも室内の二酸化炭素濃度により換気扇の強弱運転を切り換える、あるいは換気扇の風量を無段階の任意風量に切り換える第八換気扇制御手段を備える構成としたものである。
【００５８】
これにより任意の居室から各室の在室人数の増加、減少による二酸化炭素の発生量変化に応じて、換気扇のノッチを切り換えることができ、過少換気による人いきれの防止、換気量過多による電気使用量の無駄の排除をよりきめ細かに行うことができると同時に、エネルギーの消費をより効果的に削減することができる換気集中制御装置が得られる。
【００５９】
さらに、本発明の換気集中制御装置は上記目的を達成するために、換気量検出手段により検出した換気量から室内の積算換気量を演算する積算換気量演算手段と、演算した積算換気量により積算換気量の過不足を無くするため、どの居室からでも換気扇の運転あるいは停止を行う第九換気扇制御手段を備える構成としたものである。
【００６０】
これにより任意の居室から各室の換気風路の確保状態の時間変化に応じて、換気扇の運転停止制御を行うことができるため、必要換気量より多くの換気を行うことなく、電気使用量を削減することができる換気集中制御装置が得られる。
【００６１】
また、本発明の換気集中制御装置は上記目的を達成するために、換気量検出手段により検出した換気量から室内の積算換気量を演算する積算換気量演算手段と、演算した積算換気量によりどの居室からでも換気扇の強弱運転を切り換える、あるいは換気扇の風量を無段階の任意風量に切り換える第十換気扇制御手段を備える構成としたものである。
【００６２】
これにより任意の居室から各室の換気風路の確保状態の時間変化に応じて、換気扇の運転停止制御を行うことができるため、必要換気量より多くの換気を行うことなく、換気扇のノッチ制御により電気使用量をより効果的に削減することができる換気集中制御装置が得られる。
【００６３】
さらに、本発明の換気集中制御装置は上記目的を達成するために、換気扇の固定風量運転、最適風量運転、手動風量運転を切り換える運転切換手段を備える構成としたものである。
【００６４】
これにより任意の居室から住宅内が無人であった場合の換気扇制御、各室内の在室者の個別の感覚に応じた換気扇制御、強制的な換気扇制御をそれぞれ切り換えることができる換気集中制御装置が得られる。
【発明の効果】
【００６５】
本発明によれば、少なくとも２室以上の各室の空気の状態を検出する空気状態検出手段と、前記空気状態検出手段により検出した空気の状態を一括表示する空気状態表示手段を備える構成とすることで、特定の場所において、各室の空気の状態を表示することができ、任意の居室から住宅全体の空気状態を確認することができるという効果のある換気集中制御装置を提供できる。
【００６６】
また、少なくとも２室以上の各室のＶＯＣ濃度を検出するＶＯＣ濃度検出手段と、前記ＶＯＣ濃度検出手段により検出した各室のＶＯＣ濃度を一括表示するＶＯＣ濃度表示手段を備える構成とすることで、各室のＶＯＣ濃度を表示することができ、任意の居室から住宅の局所的な空気質の悪化を確認することができるという効果のある換気集中制御装置を提供できる。
【００６７】
さらに、少なくとも２室以上の各室の煙、喫煙状態を検出する煙状態検出手段と、前記煙状態検出手段により検出した各室の煙、喫煙状態を一括表示する煙状態表示手段を備える構成とすることで、各室の煙、喫煙状態を表示することができ、任意の居室から住宅の局所的な空気質の悪化を確認することができるという効果のある換気集中制御装置を提供できる。
【００６８】
また、少なくとも２室以上の各室の二酸化炭素濃度を検出する二酸化炭素濃度検出手段と、前記二酸化炭素検出手段により検出した各室の二酸化炭素濃度を一括表示する二酸化炭素濃度表示手段を備える構成とすることで、各室の二酸化炭素濃度を表示することができ、任意の居室から住宅内の人の集中、人いきれを確認することができるという効果のある換気集中制御装置を提供できる。
【００６９】
さらに、少なくとも２室以上の各室の換気量を検出する換気量検出手段と、前記換気量検出手段により検出した各室の換気量を一括表示する換気量表示手段を備える構成とすることで、各室の換気量を表示することができ、任意の居室から各室の空気質の悪化を事前に予測することができるという効果のある換気集中制御装置を提供できる。
【００７０】
また、少なくとも２室以上の各室の換気扇に設置した各換気扇の運転状態を出力する運転状態出力手段と、各室の換気扇の運転状態を一括表示する換気扇運転状態表示手段を備える構成とすることで、各室の換気扇の運転状態を表示することができ、任意の居室から各室の換気状態を確認することができるという効果のある換気集中制御装置を提供できる。
【００７１】
さらに、少なくとも２室以上の各室の換気量の異常を検出する換気異常検出手段と、前記換気異常検出手段により検出した換気量の異常を一括表示する換気異常表示手段を備える構成とすることで、各室の換気量の異常を表示することができ、任意の居室から過少換気時の空気質悪化の事前確認、換気量過多時の電気使用量の増加確認、換気扇による換気異常確認を行うことができるという効果のある換気集中制御装置を提供できる。
【００７２】
また、少なくとも２室以上の各室の室内換気風路の異常を検出する換気風路異常検出手段と、前記換気風路異常検出手段により検出した室内換気風路の異常を一括表示する換気風路異常表示手段を備える構成とすることで、各室の必要な外気導入のための換気風路の異常を表示することができ、任意の居室に対して各室の換気扇の運転に対する所定の外気導入が出来ていないことを警告することができるという効果のある換気集中制御装置を提供できる。
【００７３】
さらに、少なくとも２室以上の各室の室内換気扇のメンテナンスの必要性を検出する換気扇メンテナンス検出手段と、前記換気扇メンテナンス検出手段により検出した各室の室内換気扇のメンテナンスの必要性を一括表示する換気扇メンテナンス表示手段を備える構成とすることで、各室の換気扇に付随するフィルタの汚れによる目詰まり等、換気量に影響するメンテナンスの必要性を表示することができ、任意の居室に対してメンテナンス不足による過少換気を未然防止するための警告を行うことができるという効果のある換気集中制御装置を提供できる。
【００７４】
また、表示内容を切り換える表示切換手段を備える構成とすることで、各室個別の空気質状態、換気扇の運転状態、各種異常状態を表示することができ、任意の居室から各室の空気状態の監視、及び装置異常を確認することができるという効果のある換気集中制御装置を提供できる。
【００７５】
さらに、各室の空気の状態により換気扇の運転あるいは停止を行う換気扇制御手段を備える構成とすることで、任意の居室から各室の空気質の悪化を防ぐと同時に、エネルギーの消費量の削減も行うことができるという効果のある換気集中制御装置を提供できる。
【００７６】
また、空気の状態により換気扇の強弱運転を切り換える、あるいは換気扇の風量を無段階の任意風量に切り換える第二換気扇制御手段を備える構成とすることで、任意の居室から空気質の悪化を防ぐと同時に、エネルギーの消費量をより効果的に削減することができるという効果のある換気集中制御装置を提供できる。
【００７７】
さらに、各室のＶＯＣ濃度により換気扇の運転あるいは停止を行う第三換気扇制御手段を備える構成とすることで、任意の居室から各室のＶＯＣ濃度を上昇させることなく、シックハウスを防止する必要十分な換気制御を行うことができるという効果のある換気集中制御装置を提供できる。
【００７８】
また、室内のＶＯＣ濃度により換気扇の強弱運転を切り換える、あるいは換気扇の風量を無段階の任意風量に切り換える第四換気扇制御手段を備える構成とすることで、任意の居室から各室のＶＯＣ濃度を上昇させることなく、シックハウスを防止する必要十分な換気制御をよりきめ細かに行うと同時に、エネルギーの消費量をより効果的に削減することができるという効果のある換気集中制御装置を提供できる。
【００７９】
さらに、各室の煙、喫煙状態により換気扇の運転あるいは停止を行う第五換気扇制御手段を備える構成とすることで、任意の居室から各室の喫煙や調理による局所的、瞬時的な空気質の悪化に対し、換気扇を運転することができ、空気質の悪化を抑制することができるという効果のある換気集中制御装置を提供できる。
【００８０】
また、各室の煙、喫煙状態により換気扇の強弱運転を切り換える、あるいは換気扇の風量を無段階の任意風量に切り換える第六換気扇制御手段を備える構成とすることで、任意の居室から各室の喫煙や調理による局所的、瞬時的な空気質の悪化に対し、換気扇を運転することができ、空気質の悪化をよりきめ細かに抑制することができると同時に、エネルギーの消費をより効果的に削減することができるという効果のある換気集中制御装置を提供できる。
【００８１】
さらに、各室の二酸化炭素濃度により換気扇の運転あるいは停止を行う第七換気扇制御手段を備える構成とすることで、任意の居室から各室の在室人数の増加、減少による二酸化炭素の発生量変化に応じて、換気扇の発停を行うことができ、過少換気による人いきれの防止、換気量過多による電気使用量の無駄の排除を行うことができるという効果のある換気集中制御装置を提供できる。
【００８２】
また、各室の二酸化炭素濃度により換気扇の強弱運転を切り換える、あるいは換気扇の風量を無段階の任意風量に切り換える第八換気扇ノッチ制御手段を備える構成とすることで、任意の居室から各室の在室人数の増加、減少による二酸化炭素の発生量変化に応じて、換気扇のノッチを切り換えることができ、過少換気による人いきれの防止、換気量過多による電気使用量の無駄の排除をよりきめ細かに行うことができると同時に、エネルギーの消費をより効果的に削減することができるという効果のある換気集中制御装置を提供できる。
【００８３】
さらに、換気量検出手段により検出した換気量から各室の積算換気量を演算する積算換気量演算手段と、演算した積算換気量により積算換気量の過不足を無くするように換気扇の運転あるいは停止を行う第九換気扇制御手段を備える構成とすることで、任意の居室から各室の換気風路の確保状態の時間変化に応じて、換気扇の運転停止制御を行うことができるため、必要換気量より多くの換気を行うことなく、電気使用量を削減することができるという効果のある換気集中制御装置を提供できる。
【００８４】
また、換気量検出手段により検出した換気量から各室の積算換気量を演算する積算換気量演算手段と、演算した積算換気量により換気扇の強弱運転を切り換える、あるいは換気扇の風量を無段階の任意風量に切り換える第十換気扇制御手段を備える構成とすることで、任意の居室から各室の換気風路の確保状態の時間変化に応じて、換気扇の運転停止制御を行うことができるため、必要換気量より多くの換気を行うことなく、換気扇のノッチ制御により電気使用量をより効果的に削減することができるという効果のある換気集中制御装置を提供できる。
【００８５】
さらに、換気扇の固定風量運転、最適風量運転、手動風量運転を切り換える運転切換手段を備える構成とすることで、住宅内が無人であった場合の換気扇制御、各室内の在室者の個別の感覚に応じた換気扇制御、強制的な換気扇制御をそれぞれ切り換えることができるという効果のある換気集中制御装置を提供できる。
【発明を実施するための最良の形態】
【００８６】
本発明の請求項１記載の発明は、少なくとも２室以上の各室の空気の状態を検出する空気状態検出手段と、前記空気状態検出手段により検出した空気の状態を一括表示する空気状態表示手段を備える構成としたものであり、任意の居室において、各室の空気の状態を表示することができ、住宅全体の空気状態を確認することができるという作用を有する。
【００８７】
また、少なくとも２室以上の各室のＶＯＣ濃度を検出するＶＯＣ濃度検出手段と、前記ＶＯＣ濃度検出手段により検出したＶＯＣ濃度を一括表示するＶＯＣ濃度表示手段を備える構成としたものであり、任意の居室において各室のＶＯＣ濃度を表示することができ、住宅の局所的な空気質の悪化を確認することができるという作用を有する。
【００８８】
さらに、少なくとも２室以上の各室の煙、喫煙状態を検出する煙状態検出手段と、前記煙状態検出手段により検出した煙、喫煙状態を一括表示する煙状態表示手段を備える構成としたものであり、任意の居室において各室の煙、喫煙状態を表示することができ、住宅の局所的な空気質の悪化を確認することができるという作用を有する。
【００８９】
また、少なくとも２室以上の各室の二酸化炭素濃度を検出する二酸化炭素濃度検出手段と、前記二酸化炭素検出手段により検出した二酸化炭素濃度を一括表示する二酸化炭素濃度表示手段を備える構成としたものであり、任意の居室において各室の二酸化炭素濃度を表示することができ、住宅内の人の集中、人いきれを確認することができるという作用を有する。
【００９０】
さらに、少なくとも２室以上の各室の換気量を検出する換気量検出手段と、前記換気量検出手段により検出した換気量を一括表示する換気量表示手段を備える構成としたものであり、任意の居室において各室の換気量を表示することができ、各室の空気質の悪化を事前に予測することができるという作用を有する。
【００９１】
また、少なくとも２室以上の各室の換気扇に設置した各換気扇の運転状態を出力する運転状態出力手段と、各換気扇の運転状態を一括表示する換気扇運転状態表示手段を備える構成としたものであり、任意の居室において各室の換気扇の運転状態を表示することができ、各室の換気状態を確認することができるという作用を有する。
【００９２】
さらに、少なくとも２室以上の各室の換気量の異常を検出する換気異常検出手段と、前記換気異常検出手段により検出した各室の換気量の異常を一括表示する換気異常表示手段を備える構成としたものであり、任意の居室において各室の換気量の異常を表示することができ、過少換気時の空気質悪化の事前確認、換気量過多時あるいは換気扇の目詰まりや給気口が確保できていないことによる換気量過少時における換気扇の電気使用量の増加確認による省エネ喚起、換気扇による換気異常確認を行うことができるという作用を有する。
【００９３】
また、少なくとも２室以上の各室の室内換気風路の異常を検出する換気風路異常検出手段と、前記換気風路異常検出手段により検出した室内換気風路の異常を一括表示する換気風路異常表示手段を備える構成としたものであり、各室の必要な外気導入のための換気風路の異常を表示することができ、任意の居室において各室の換気扇の運転に対する所定の外気導入が出来ていないことを警告することができるという作用を有する。
【００９４】
さらに、少なくとも２室以上の各室の室内換気扇のメンテナンスの必要性を検出する換気扇メンテナンス検出手段と、前記換気扇メンテナンス検出手段により検出した室内換気扇のメンテナンスの必要性を一括表示する換気扇メンテナンス表示手段を備える構成としたものであり、任意の居室において各室の換気扇に付随するフィルタの汚れによる目詰まり等、換気量に影響するメンテナンスの必要性を表示することができ、メンテナンス不足による過少換気を未然防止するための警告を行うことができるという作用を有する。
【００９５】
また、表示内容を切り換える表示切換手段を備える構成としたものであり、任意の居室において各室個別の空気質状態、換気扇の運転状態、各種異常状態を表示することができ、各室の空気状態の監視、及び装置異常を確認することができるという作用を有する。
【００９６】
さらに、各室の空気の状態により換気扇の運転あるいは停止を行う換気扇制御手段を備える構成としたものであり、任意の居室から換気制御を行うことで、空気質の悪化を防ぐと同時に、エネルギーの消費量の削減も行うことができるという作用を有する。
【００９７】
また、空気の状態により換気扇の強弱運転を切り換える、あるいは換気扇の風量を無段階の任意風量に切り換える第二換気扇制御手段を備える構成としたものであり、任意の居室から換気制御を行うことで、空気質の悪化を防ぐと同時に、エネルギーの消費量をより効果的に削減することができるという作用を有する。
【００９８】
さらに、室内のＶＯＣ濃度により換気扇の運転あるいは停止を行う第三換気扇制御手段を備える構成としたものであり、任意の居室から換気制御を行うことで、室内のＶＯＣ濃度を上昇させることなく、シックハウスを防止する必要十分な換気制御を行うことができるという作用を有する。
【００９９】
また、室内のＶＯＣ濃度により換気扇の強弱運転を切り換える、あるいは換気扇の風量を無段階の任意風量に切り換える第四換気扇制御手段を備える構成としたものであり、任意の居室から換気制御を行うことで、室内のＶＯＣ濃度を上昇させることなく、シックハウスを防止する必要十分な換気制御をよりきめ細かに行うと同時に、エネルギーの消費量をより効果的に削減することができるという作用を有する。
【０１００】
さらに、室内の煙、喫煙状態により換気扇の運転あるいは停止を行う第五換気扇制御手段を備える構成としたものであり、任意の居室から換気制御を行うことで、各室の喫煙や調理による局所的、瞬時的な空気質の悪化に対し、換気扇を運転することができ、空気質の悪化を抑制することができるという作用を有する。
【０１０１】
また、室内の煙、喫煙状態により換気扇の強弱運転を切り換える、あるいは換気扇の風量を無段階の任意風量に切り換える第六換気扇ノッチ制御手段を備える構成としたものであり、任意の居室から換気制御を行うことで、各室の喫煙や調理による局所的、瞬時的な空気質の悪化に対し、換気扇を運転することができ、空気質の悪化をよりきめ細かに抑制することができると同時に、エネルギーの消費をより効果的に削減することができるという作用を有する。
【０１０２】
さらに、室内の二酸化炭素濃度により換気扇の運転あるいは停止を行う第七換気扇制御手段を備える構成としたものであり、任意の居室から換気制御を行うことで、各室の在室人数の増加、減少による二酸化炭素の発生量変化に応じて、換気扇の発停を行うことができ、過少換気による人いきれの防止、換気量過多による電気使用量の無駄の排除を行うことができるという作用を有する。
【０１０３】
また、室内の二酸化炭素濃度により換気扇の強弱運転を切り換える、あるいは換気扇の風量を無段階の任意風量に切り換える第八換気扇制御手段を備える構成としたものであり、任意の居室から換気制御を行うことで、各室の在室人数の増加、減少による二酸化炭素の発生量変化に応じて、換気扇のノッチを切り換えることができ、過少換気による人いきれの防止、換気量過多による電気使用量の無駄の排除をよりきめ細かに行うことができると同時に、エネルギーの消費をより効果的に削減することができるという作用を有する。
【０１０４】
さらに、換気量検出手段により検出した換気量から室内の積算換気量を演算する積算換気量演算手段と、演算した積算換気量により換気扇の運転あるいは停止を行う第九換気扇制御手段を備える構成としたものであり、任意の居室から換気制御を行うことで、各室の換気風路の確保状態の時間変化に応じて、換気扇の運転停止制御を行うことができるため、必要換気量より多くの換気を行うことなく、電気使用量を削減することができるという作用を有する。
【０１０５】
また、換気量検出手段により検出した換気量から室内の積算換気量を演算する積算換気量演算手段と、演算した積算換気量により換気扇の強弱運転を切り換える、あるいは換気扇の風量を無段階の任意風量に切り換える第十換気扇制御手段を備える構成としたものであり、任意の居室から換気制御を行うことで、各室の換気風路の確保状態の時間変化に応じて、換気扇の運転停止制御を行うことができるため、必要換気量より多くの換気を行うことなく、換気扇のノッチ制御により電気使用量をより効果的に削減することができるという作用を有する。
【０１０６】
さらに、換気扇の固定風量運転、最適風量運転、手動風量運転を切り換える運転切換手段を備える構成としたものであり、住宅内が無人であった場合の換気扇制御、各室内の在室者の個別の感覚に応じた換気扇制御、強制的な換気扇制御をそれぞれ切り換えることができるという作用を有する。
【０１０７】
以下、本発明の実施の形態について図面を参照しながら説明する。
【０１０８】
（実施の形態１）
図１に示すように、各室には室内温湿度を計測する、空気状態検出手段１としての温度センサ１ａから１ｄ及び湿度センサ１ｅから１ｈを備えている。また換気集中制御装置２は、各室に設置した温度センサ１ａから１ｄ及び湿度センサ１ｅから１ｈにより検出した、室内空気の温度、湿度の状態を表示する空気状態表示手段３を備えている。各室に設置した温度センサ１ａから１ｄと湿度センサ１ｂから１ｈにより検出した温度と湿度は、各室に設置した空気状態表示手段３ａから３ｄを相互接続することで、別室の空気状態を含め、各室で一括表示される。
【０１０９】
次に空気状態表示手段３ａから３ｄについて図２を参照しながら説明する。図に示すように、空気状態表示手段３ａから３ｄは、各温度入力部３ｅから３ｈ、及び各湿度入力部３ｉから３Ｌにそれぞれ入力した検出値を表示する表示部３ｍに送信するためのデジタルデータへの変換を、信号変換部３ｎにて行うように備えている。
【０１１０】
次に、信号変換部３ｎのデータ変換のフローチャートについて図３を参照しながら説明する。図に示すように、信号変換部３ｎは、各室の温度信号を入力し、アナログ入力値からデジタル入力値へ信号変換する。信号変換したデジタル入力値は、温度参照テーブルと比較し、表示するための物理量へ変換する。次に各室の湿度信号を入力し、温度信号と同様にアナログ入力値からデジタル入力値へ信号変換する。信号変換したデジタル入力値は、湿度参照テーブルと比較し、表示するための物理量へ変換する。演算した物理量、すなわち温度及び湿度は、表示するための信号として１０進デジタル値から２進デジタル値へと変換し、表示部３ｍへ伝送することとなる。
【０１１１】
次に表示部３ｍの表示の配置について、図４を参照しながら説明する。図に示すように、表示部３ｉは、各室の見取り図が画面上にレイアウトしている。さらに画面上の各室の見取り図上には換気扇も配置しており、測定した温度、湿度が各室の換気扇の検出位置に表示するように構成している。
【０１１２】
上記構成において、空気状態表示手段３は各室の空気状態すなわち各室の温度及び湿度を一括表示することとなる。
【０１１３】
なお、本実施の形態において、デジタル信号入力値から物理量への変換を参照テーブルによる変換としたが、数式を利用した変換であってもよい。
【０１１４】
また、各室で検出した温度、湿度は各室の空気状態表示手段３ａから３ｄを相互接続するとしたが、無線通信によるデータ送受信としてもよい。
【０１１５】
さらに空気状態表示手段３ａから３ｄは、任意の一室に備えることとしてもよい。
【０１１６】
また、本実施の形態では、温度入力部３ｅから３ｈ、及び湿度入力部３ｉから３Ｌはそれぞれ入力するように構成したが、切換スイッチにより温度入力部３ｅから３ｈ、あるいは湿度入力部３ｉから３Ｌを切り換えて入力するとしても作用効果に差異はない。
【０１１７】
さらに、本実施の形態では、一括表示を一画面で表示するとしたが、スイッチ押下による切換えとしても作用効果に差異はない。
【０１１８】
（実施の形態２）
図５に示すように、各室には室内のＶＯＣ濃度すなわちトルエン換算した揮発性有機ガスを検出するＶＯＣ濃度検出手段４としてのＶＯＣセンサ４ａから４ｄを備えている。また換気集中制御装置２は、ＶＯＣセンサ４ａから４ｄにより検出した各室のＶＯＣ濃度を表示するＶＯＣ濃度表示手段５ａから５ｄを備えている。各室に設置したＶＯＣセンサ４ａから４ｄにより検出した信号は、ＶＯＣ濃度表示手段５ａから５ｄに入力される。入力した各室のＶＯＣ濃度Ｘ１からＸ４は、各室に設置したＶＯＣ濃度表示手段５ａから５ｄにより一括表示される。
【０１１９】
次にＶＯＣセンサ４ａから４ｄの構成について、図６を参照しながら説明する。図に示すように、ＶＯＣセンサ４ａから４ｄは、ＶＯＣ感知部４ｅから４ｈと、ＶＯＣ感知部４ｅから４ｈの電圧信号から濃度信号へ変換及びＶＯＣ濃度表示手段５ａから５ｄへ出力を行う濃度変換出力部４ｉから４Ｌにより構成している。
【０１２０】
次に濃度変換出力部４ｉから４Ｌの変換アルゴリズムについて、図７を参照しながら説明する。図に示すように、濃度変換部４ｉから４Ｌは、ＶＯＣ感知部４ａから４ｄの電圧信号を入力する。入力したＶＯＣ感知部４ａから４ｄの電圧信号から、ＶＯＣ感知部４ａから４ｄの抵抗値を計算し、基準抵抗値で除算することで感度を求める。計算した感度がＳ１以上であった場合は、基準抵抗値を現在の抵抗値に更新し、ＶＯＣ濃度は各室固有の基準濃度Ｔ１（ｐｐｍ）と判断する。計算した感度がＳ１に満たない場合は、計算した感度と濃度の変換テーブルからＶＯＣ濃度を判定することとなる。
【０１２１】
上記構成において、ＶＯＣ濃度表示手段５ａから５ｄは、各室において各室のＶＯＣ濃度を一括表示することとなる。
【０１２２】
なお、本実施の形態では、一括表示を一画面で表示するとしたが、スイッチ押下による切換えとしても作用効果に差異はない。
【０１２３】
（実施の形態３）
図８に示すように、各室には室内の煙、喫煙状態を検出する煙センサ６ａから６ｄを備えている。また換気集中制御装置２は、煙センサ６ａから６ｄにより検出した煙発生、あるいは喫煙発生の検出結果を表示する煙状態表示手段７ａから７ｄを備えている。各室に設置した煙センサ６ａから６ｄにより検出した信号は、煙状態表示手段７ａから７ｄに入力される。入力した各室の煙・喫煙信号Ｇ１からＧ４は、煙状態表示手段７ａから７ｄにより表示される。
【０１２４】
次に煙センサ６ａから６ｄの構成について、図９を参照しながら説明する。図に示すように、煙センサ６ａから６ｄは、煙感知部６ｅから６ｈと、煙感知部６ｅから６ｈの電圧信号から煙のオンオフ信号へ変換、および発生、継続の有無の判定結果を出力する煙発生判定部６ｉから６Ｌにより構成している。
【０１２５】
次に煙発生判定部６ｉから６Ｌの判定アルゴリズムについて、図１０を参照しながら説明する。図に示すように、煙発生判定部６ｉから６Ｌは、煙感知部６ｅから６ｈの電圧信号を入力する。入力した煙感知部６ｅから６ｈの電圧信号から、煙感知部６ｅから６ｈの抵抗値を計算し、一定時間前の抵抗値で除算することで感度を求める。計算した感度がＳ２以下であった場合は、煙が発生したと判定する。発生の判定と同時に、煙フラグを立て、カウンタをスタートさせる。また、検出時刻に感度がＳ２を超えていた場合、かつ一時刻前の煙フラグがオフであれば、何も処理を行わない。しかし一時刻前の煙フラグがオンしている場合、カウントアップする。カウントアップを継続してあるカウント数Ｋｃとなった際には、煙フラグをオフとする。カウント数がＫｃに満たない場合は、継続して煙フラグを立てたままとする。
【０１２６】
上記構成において、煙状態表示手段７ａから７ｄは各室の煙、喫煙状態を表示することとなる。
【０１２７】
なお、本実施の形態では、一括表示を一画面で表示するとしたが、スイッチ押下による切換えとしても作用効果に差異はない。
【０１２８】
（実施の形態４）
図１１に示すように、各室には室内の二酸化炭素濃度を検出する二酸化炭素センサ８ａから８ｄを備えている。また換気集中制御装置２は、二酸化炭素センサ８ａから８ｄにより検出した各室の二酸化炭素濃度を表示する二酸化炭素濃度表示手段９ａから９ｄを備えている。各室に設置した二酸化炭素センサ８ａから８ｄにより検出した二酸化炭素濃度は、二酸化炭素濃度表示手段９ａから９ｄに入力される。入力した各室の二酸化炭素濃度信号ＣＯ２＿１からＣＯ２＿４は、二酸化炭素濃度表示手段９ａから９ｄにより一括表示される。
【０１２９】
次に二酸化炭素センサ８ａから８ｄの構成について、図１２を参照しながら説明する。図に示すように、二酸化炭素センサ８ａから８ｄは、二酸化炭素感知部８ｅから８ｈと、二酸化炭素感知部８ｅから８ｈの電圧信号から二酸化炭素濃度信号へ変換、濃度変換結果を二酸化炭素濃度表示手段９ａから９ｄへ出力する二酸化炭素濃度判定部８ｉから８Ｌにより構成している。
【０１３０】
次に二酸化炭素濃度判定部８ｉから８Ｌの判定アルゴリズムについて、図１３を参照しながら説明する。図に示すように、二酸化炭素濃度判定部８ｉから８Ｌは、二酸化炭素感知部８ｅから８ｈの電圧信号を入力する。入力した二酸化炭素感知部８ｅから８ｈの電圧信号から、二酸化炭素感知部８ｅから８ｈの抵抗値を計算し、基準抵抗値で除算することで感度を求める。計算した感度がＳ３以上であった場合は、基準抵抗値を現在の抵抗値に更新し、二酸化炭素濃度は基準濃度Ｔ２（ｐｐｍ）と判断する。計算した感度がＳ３に満たない場合は、計算した感度と濃度の変換テーブルから二酸化炭素濃度を判定することとなる。
【０１３１】
上記構成において、二酸化炭素濃度表示手段９ａから９ｄは各室の二酸化炭素濃度を一括表示することとなる。
【０１３２】
なお、本実施の形態では、一括表示を一画面で表示するとしたが、スイッチ押下による切換えとしても作用効果に差異はない。
【０１３３】
（実施の形態５）
図１４に示すように、各室には室内の換気量を検出する換気量検出手段１０ａから１０ｄを備えている。また換気集中制御装置２は、換気量検出手段１０ａから１０ｄにより検出した各室の換気量を表示する換気量表示手段１１ａから１１ｄを備えている。各室の換気扇に設置した換気量検出手段１０ａから１０ｄにより検出した換気量は、換気量表示手段１１ａから１１ｄにより一括表示される。
【０１３４】
次に換気量検出手段１０ａから１０ｄの構成について、図１５を参照しながら説明する。
【０１３５】
図に示すように、換気量検出手段１０ａから１０ｄは、風速を検出する風速検出部１０ｅから１０ｈと、風速検出部１０ｅから１０ｈの電圧信号から風速信号へ変換、及び風速から換気量へ変換し、かつ換気量表示手段１１ａから１１ｄへ出力する換気量変換部１０ｉから１０Ｌにより構成している。
【０１３６】
次に換気量変換部１０ｉから１０Ｌの換気量判定アルゴリズムについて、図１６を参照しながら説明する。図に示すように、換気量変換部１０ｉから１０Ｌは、風速検出部１０ｅから１０ｈの電圧信号を入力する。入力した風速検出部１０ｅから１０ｈの電圧信号から、電圧／風速変換のための変換テーブルを使用して風速を判定する。判定した風速と、換気扇開口断面積を掛け合わせることで風量、すなわち換気量を判定する。
【０１３７】
上記構成において、換気量表示手段１１ａから１１ｄは各室の換気量を一括表示することとなる。
【０１３８】
なお、本実施の形態では、一括表示を一画面で表示するとしたが、スイッチ押下による切換えとしても作用効果に差異はない。
【０１３９】
（実施の形態６）
図１７に示すように、各室の換気扇は、換気扇の運転状態を出力する運転状態出力手段１２ａから１２ｄを備えている。また換気集中制御装置２は、各室の換気扇の運転状態を表示する換気扇運転状態表示手段１３ａから１３ｄを備えている。また、各室の換気扇に設置した運転状態出力手段１２ａから１２ｄにより検出した換気扇の運転状態は、換気扇運転状態表示手段１３ａから１３ｄに入力される。入力した各室の換気扇の運転状態Ｋ１からＫ４は、換気扇運転状態表示手段１３ａから１３ｄにより各室で一括表示される。
【０１４０】
次に換気扇の運転状態出力手段１２ａから１２ｄの構成について、図１８を参照しながら説明する。図に示すように、運転状態出力手段１２ａから１２ｄは、換気扇の運転スイッチ信号を入力するスイッチ入力部１２ｅから１２ｈと、スイッチ入力部１２ｅから１２ｈの接点信号から換気扇の運転／停止、及び強弱ノッチ信号を取り出すようになっている。また、換気扇運転状態表示手段１３ａから１３ｄに対し、換気扇の運転／停止、及び強弱ノッチ信号は、デジタルデータ伝送するデータ伝送部１２ｉから１２Ｌを備えている。また、換気扇運転状態表示手段１３ａから１３ｄは、換気扇の運転状態出力手段１２ａから１２ｄのデジタルデータ伝送されたデータを受信する状態受信部１３ｅから１３ｈを備えている。受信したデータから各室の換気扇の運転状態を認識するように構成している。認識した各室の換気扇の運転状態は、換気運転状態表示手段１３ａから１３ｄの運転状態表示部１３ｉから１３Ｌに表示することとなる。
【０１４１】
上記構成において、換気扇運転状態表示手段１３ａから１３ｄは各室の換気扇の運転状態を一括表示することとなる。
【０１４２】
なお、本実施の形態では、一括表示を一画面で表示するとしたが、スイッチ押下による切換えとしても作用効果に差異はない。
【０１４３】
（実施の形態７）
図１９に示すように、各室の換気扇には、換気扇による換気量の異常を検出する換気異常検出手段１４ａから１４ｄを設置している。また換気集中制御装置２は、換気異常検出手段１４ａから１４ｄにより検出した各室の換気量の異常を表示する換気異常表示手段１５ａから１５ｄを備えている。各室の換気扇に設置した換気異常検出手段１４ａから１４ｄにより検出した換気異常信号は、換気異常表示手段１５ａから１５ｄにより表示される。
【０１４４】
次に換気扇の換気異常検出手段１４ａから１４ｄの検出アルゴリズムについて、図２０を参照しながら説明する。図に示すように、換気異常検出手段１４ａから１４ｄは、換気扇のモータ電流と回転数から期待換気量を計算する。また、換気量検出手段１０ａから１０ｄにより検出、計算した換気量とを比較する。比較した結果、その偏差が換気量検出手段１０ａから１０ｄにより検出した換気量がＶ１以上少なければ、異常と判定することになる。判定された異常か否かの信号は、換気異常検出手段１４ａから１４ｄより換気異常表示手段１５ａから１５ｄへ伝送する。
【０１４５】
さらに、受信した換気異常の有無は、換気異常表示手段１５ａから１５ｄにより表示することとなる。
【０１４６】
上記構成において、換気異常表示手段１５ａから１５ｄは各室の換気量の異常を一括表示することとなる。
【０１４７】
なお、本実施の形態では、一括表示を一画面で表示するとしたが、スイッチ押下による切換えとしても作用効果に差異はない。
【０１４８】
（実施の形態８）
図２１に示すように、各室の換気扇には室内換気風路の異常を検出する換気風路異常検出手段１６ａから１６ｄを備えている。また換気集中制御装置２は、換気風路異常検出手段１６ａから１６ｄにより検出した室内換気風路の異常を表示する換気風路異常表示手段１７ａから１７ｄを備えている。各室の換気扇に設置した換気風路異常検出手段１６ａから１６ｄにより検出した換気風路異常信号は、換気風路異常表示手段１７ａから１７ｄにより一括表示される。
【０１４９】
次に換気風路異常検出手段１６ａから１６ｄの検出フローチャートについて、図２２を参照しながら説明する。図に示すように、換気風路異常検出手段１６ａから１６ｄは、換気量検出手段１０ａから１０ｄにより検出した換気量の時系列データを保存する。一時刻前の換気量と現在の換気量との偏差を計算し、その偏差が偏差閾値Ｖｄ以上となれば換気風路異常と判定する。換気風路異常でなく、換気量が下がってきた場合は、フィルタの目詰まり等のメンテナンス異常、あるいは装置異常と判定する。これにより、換気風路異常による換気量低下あるいはメンテナンス異常あるいは装置異常による換気量低下の識別ができることとなる。
【０１５０】
この異常情報を換気風路異常検出手段１６ａから１６ｄより、換気風路異常表示手段１７ａから１７ｄに伝送することで、各室の換気風路の異常を一括表示することとなる。
【０１５１】
なお、本実施の形態では、一括表示を一画面で表示するとしたが、スイッチ押下による切換えとしても作用効果に差異はない。
【０１５２】
（実施の形態９）
図２３に示すように、各室の換気扇には換気扇のメンテナンスの必要性を検出する換気扇メンテナンス検出手段１８ａから１８ｄを備えている。また、換気集中制御装置２は、換気扇メンテナンス検出手段１８ａから１８ｄにより検出した各室の換気扇のメンテナンスの必要性を表示する換気扇メンテナンス表示手段１９ａから１９ｄを備えている。各室の換気扇に設置した換気扇メンテナンス検出手段１８ａから１８ｄにより検出したメンテナンス信号は、換気扇メンテナンス表示手段１９ａから１９ｄにより一括表示される。
【０１５３】
次に換気扇のメンテナンスの必要性を検出する換気扇メンテナンス検出手段１８ａから１８ｄについて、図２４を参照しながら説明する。図に示すように、換気扇メンテナンス検出手段１８ａから１８ｄは、換気扇のモータ電流と回転数から期待換気量を計算する。また、風速検知部１８ｅから１８ｈの電圧信号を入力し、電圧／風速変換のための変換テーブルを使用して風速を判定する。判定した風速と、換気扇開口断面積を掛け合わせることで実際の換気量を判定する。前記期待換気量と実際の換気量を比較して、実際の換気量が期待換気量に対して偏差がＶ２以上少なければ、換気異常フラグをオンさせる。この換気異常フラグがオンした状態において、実際の検出した換気量の時系列データを保存する。一時刻前の換気量と現在の換気量との偏差を計算し、その偏差が偏差閾値Ｖｓ以下であれば、汚れカウンタをカウントアップする。また、汚れカウンタとは別に運転時間を積算する運転時間カウンタは常時カウントアップする。汚れカウンタがＣｄ以上あるいは、運転時間カウンタがＣｒ以上となれば、換気扇のメンテナンスフラグをオンさせる。このメンテナンスフラグがオンした場合、換気扇のメンテナンスの必要性を検出し、換気扇メンテナンス表示手段１９ａから１９ｄの表示部１９ｅから１９ｈに伝送する。
【０１５４】
上記構成において、換気扇メンテナンス表示手段１９ａから１９ｄは各室の換気扇のメンテナンスの必要性を一括表示することとなる。
【０１５５】
なお、本実施の形態では、一括表示を一画面で表示するとしたが、スイッチ押下による切換えとしても作用効果に差異はない。
【０１５６】
（実施の形態１０）
図２５に示すように、換気集中制御装置２は、表示内容を切り換える表示切換手段２０を備えている。表示切換手段２０の信号入力手段２０ａは、各室に設置した換気扇からの温度と湿度、ＶＯＣ濃度、煙・喫煙状態、二酸化炭素濃度、換気量、換気扇の運転状態、換気量異常、換気風路異常、及び換気扇メンテナンス必要性の信号が入力される。入力した各種信号は、表示切換スイッチ２０ｂの押下した回数により切換表示される。
【０１５７】
上記構成において、表示切換手段２０は表示内容を切り換えることとなる。
【０１５８】
なお、表示切換スイッチ２０ｂは唯一で、押下した回数により切換表示するとしたが、温度と湿度、ＶＯＣ濃度、煙・喫煙状態、二酸化炭素濃度、換気量、換気扇の運転状態、換気量異常、換気風路異常、及び換気扇メンテナンス必要性を表示する各々個別のボタンであっても良い。
【０１５９】
（実施の形態１１）
図２６に示すように、換気集中制御装置２は、空気状態検出手段１としての温度センサ１ａから１ｄと湿度センサ１ｅから１ｈにより検出した温度、湿度の状態により換気扇の運転、停止を行う換気扇制御手段２１ａから２１ｄを備えている。また図２７に示すように、換気扇制御手段２１ａから２１ｄは、換気扇に運転、停止指令を行う制御出力部２１ｅから２１ｈと、各室の空気の状態を入力する状態入力部２１ｉから２１Ｌを備えており、状態入力部２１ｉから２１Ｌにより入力した、温度、湿度情報から、状態判定部２１Ｍは閾値を超えていた場合、制御出力部２１ｅから２１ｈの各部への信号を出力するよう構成している。
【０１６０】
上記構成において、換気扇制御手段２１は各室の空気の状態すなわち温度あるいは湿度により、各換気扇を制御することとなる。
【０１６１】
（実施の形態１２）
図２８に示すように、換気集中制御装置２は、空気状態検出手段１としての温度センサ１ａから１ｄと湿度センサ１ｅから１ｈにより検出した温度、湿度の状態により換気扇の強弱運転を切り換える、あるいは換気扇の風量を無段階の任意風量に切り換える第二換気扇制御手段２２ａから２２ｄを備えている。また図２９に示すように、第二換気扇制御手段２２ａから２２ｄは、換気扇に強あるいは弱ノッチの運転指令を行うノッチ出力部２２ｅから２２ｈと、各室の空気の状態を入力する第二状態入力部２２ｉから２２Ｌを備えており、第二状態入力部２２ｉから２２Ｌにより入力した、温度、湿度情報から、第二状態判定部２２Ｍは強弱各ノッチの閾値を超えていた場合、ノッチ出力部２２ａから２２ｈの各部への信号を出力するよう構成している。
【０１６２】
上記構成において、第二換気扇制御手段２２は各室の空気の状態により、各換気扇の強弱ノッチを制御することとなる。
【０１６３】
なお、本実施の形態においては、第二換気扇制御手段２２はノッチを切り換えるとしたが、無段階に切り換えるとしても作用効果に差異はない。
【０１６４】
（実施の形態１３）
図３０に示すように、各室には室内のＶＯＣ濃度を検出するＶＯＣセンサ４ａから４ｄを備えている。また換気集中制御装置２は、ＶＯＣセンサ４ａから４ｄにより検出した室内のＶＯＣ濃度により換気扇の運転、停止を行う第三換気扇制御手段２３ａから２３ｄを備えている。また図３１に示すように、第三換気扇制御手段２３ａから２３ｄは、換気扇に運転、停止指令を行う第二制御出力部２３ｅから２３ｈと、各室のＶＯＣ濃度を入力する第三状態入力部２３ｉから２３Ｌを備えており、第三状態入力部２３ｉから２３Ｌにより入力した、各室のＶＯＣ濃度情報から閾値を超えていた場合、第三状態判定部２３Ｍは第二制御出力部２３ｅから２３ｈの各部への信号を出力するよう構成している。
【０１６５】
上記構成において、第三換気扇制御手段２３は各室のＶＯＣ濃度により、各換気扇を制御することとなる。
【０１６６】
（実施の形態１４）
図３２に示すように、各室には室内のＶＯＣ濃度を検出するＶＯＣセンサ４ａから４ｄを備えている。また換気集中制御装置２は、ＶＯＣセンサ４ａから４ｄにより検出した室内のＶＯＣ濃度により換気扇の強弱運転を切り換える、あるいは換気扇の風量を無段階の任意風量に切り換える第四換気扇制御手段２４ａから２４ｄを備えている。また図３３に示すように、第四換気扇制御手段２４ａから２４ｄは、換気扇に強あるいは弱ノッチの運転指令を行う第二ノッチ出力部２４ｅから２４ｈと、各室のＶＯＣ濃度を入力する第四状態入力部２４ｉから２４Ｌを備えており、第四状態入力部２４ｉから２４Ｌにより入力した、ＶＯＣ濃度情報から強弱各ノッチの閾値を超えていた場合、第四状態判定部２４Ｍは第二ノッチ出力部２４ａから２４ｈの各部への信号を出力するよう構成している。
【０１６７】
上記構成において、第四換気扇制御手段２４は各室のＶＯＣ濃度により、各換気扇の強弱ノッチを制御することとなる。
【０１６８】
なお、本実施の形態においては、第四換気扇制御手段２４はノッチを切り換えるとしたが、無段階に切り換えるとしても作用効果に差異はない。
【０１６９】
（実施の形態１５）
図３４に示すように、各室には室内の煙、喫煙状態を検出する煙センサ６ａから６ｄを備えている。換気集中制御装置２は、煙センサ６ａから６ｄにより検出した室内の煙、喫煙状態により換気扇の運転、停止を行う第五換気扇制御手段２５ａから２５ｄを備えている。また図３５に示すように、第五換気扇制御手段２５ａから２５ｄは、換気扇に運転、停止指令を行う第三制御出力部２５ｅから２５ｈと、各室の煙、喫煙状態を入力する第五状態入力部２５ｉから２５Ｌを備えており、第五状態入力部２５ｉから２５Ｌにより入力した、各室の煙、喫煙情報から閾値を超えていた場合、第五状態判定部２５Ｍは第五制御出力部２５ｅから２５ｈの各部への信号を出力するよう構成している。
【０１７０】
上記構成において、第五換気扇制御手段２５は、各室の煙、喫煙状態により各換気扇を制御することとなる。
【０１７１】
（実施の形態１６）
図３６に示すように、各室には室内の煙、喫煙状態を検出する煙センサ６ａから６ｄを備えている。また換気集中制御装置２は、室内の煙、喫煙状態により換気扇の強弱運転を切り換える第六換気扇制御手段２６ａから２６ｄを備えている。また図３７に示すように、第六換気扇制御手段２６ａから２６ｄは、換気扇に強あるいは弱ノッチの運転指令を行う第三ノッチ出力部２６ｅから２６ｈと、各室の煙、喫煙状態を入力する第六状態入力部２６ｉから２６Ｌを備えており、第六状態入力部２６ｉから２６Ｌにより入力した、煙、喫煙情報から強弱各ノッチの閾値を超えていた場合、第六状態判定部２６Ｍは第三ノッチ出力部２６ａから２６ｈの各部への信号を出力するよう構成している。
【０１７２】
上記構成において、第六換気扇制御手段２６は各室の煙、喫煙状態により、各換気扇の強弱ノッチを制御することとなる。
【０１７３】
なお、本実施の形態においては、第六換気扇制御手段２６はノッチを切り換えるとしたが、無段階に切り換えるとしても作用効果に差異はない。
【０１７４】
（実施の形態１７）
図３８に示すように、各室には室内の二酸化炭素濃度を検出する二酸化炭素センサ８ａから８ｄを備えている。また換気集中制御装置２は、二酸化炭素センサ８ａから８ｄにより検出した室内の二酸化炭素濃度により換気扇の運転、停止を行う第七換気扇制御手段２７ａから２７ｄを備えている。また図３９に示すように第七換気扇制御手段２７ａから２７ｄは、換気扇に運転、停止指令を行う第四制御出力部２７ｅから２７ｈと、各室の二酸化炭素濃度を入力する第七状態入力部２７ｉから２７Ｌを備えており、第七状態入力部２７ｉから２７Ｌにより入力した、各室の二酸化炭素濃度から閾値を超えていた場合、第七状態判定部２７Ｍは第四制御出力部２７ｅから２７ｈの各部への信号を出力するよう構成している。
【０１７５】
上記構成において、第七換気扇制御手段２７は、各室の二酸化炭素濃度により各換気扇を制御することとなる。
【０１７６】
（実施の形態１８）
図４０に示すように、各室には室内の二酸化炭素濃度を検出する二酸化炭素センサ８ａから８ｄを備えている。また換気集中制御装置２は、二酸化炭素センサ８ａから８ｄにより検出した二酸化炭素濃度により換気扇の強弱運転を切り換える第八換気扇制御手段２８ａから２８ｄを備えている。また図４１に示すように、第八換気扇制御手段２８ａから２８ｄは、換気扇に強あるいは弱ノッチの運転指令を行う第四ノッチ出力部２８ｅから２８ｈと、各室の二酸化炭素濃度を入力する第八状態入力部２８ｉから２８Ｌを備えており、第八状態入力部２８ｉから２８Ｌにより入力した、二酸化炭素濃度情報から強弱各ノッチの閾値を超えていた場合、第八状態判定部２８Ｍは第四ノッチ出力部２８ｅから２８ｈの各部への信号を出力するよう構成している。
【０１７７】
上記構成において、第八換気扇制御手段２８は各室の二酸化炭素濃度により、各換気扇の強弱ノッチを制御することとなる。
【０１７８】
なお、本実施の形態においては、第八換気扇制御手段２８はノッチを切り換えるとしたが、無段階に切り換えるとしても作用効果に差異はない。
【０１７９】
（実施の形態１９）
図４２に示すように、換気集中制御装置２には換気量検出手段１０ａから１０ｄにより検出した換気量と検出時間間隔から室内の積算換気量を演算する積算換気量演算手段２９ａから２９ｄと、演算した室内の積算換気量により換気扇の運転、停止を行う第九換気扇制御手段３０ａから３０ｄを備えている。また、図４３に示すように、第九換気扇制御手段３０ａから３０ｄは、換気扇に運転、停止指令を行う第五制御出力部３０ｅから３０ｈと、各室の積算換気量を入力する第九状態入力部３０ｉから３０Ｌを備えており、第九状態入力部３０ｉから３０Ｌにより入力した、各室の積算換気量から閾値を超えていた場合、第九状態判定部３０Ｍは第五制御出力部３０ａから３０ｄの各部への信号を停止するよう構成している。また、積算換気量が閾値を超えていない場合、すなわち換気量が不足している場合は、継続運転を行い、かつ時間当たりの換気量が得られない場合は、換気装置１の強弱運転の切り換え、あるいは無段階に風量を増加させる。
【０１８０】
上記構成において、第九換気扇制御手段３０は、各室の積算換気量により各換気扇を制御することとなる。
【０１８１】
（実施の形態２０）
図４４に示すように、換気集中制御装置２には換気量検出手段１０ａから１０ｄにより検出した換気量と検出時間間隔から室内の積算換気量を演算する積算換気量演算手段２９ａから２９ｄと、演算した室内の積算換気量により換気扇の強弱運転を切り換える第十換気扇制御手段３１ａから３１ｄを備えている。
【０１８２】
次に第十換気扇制御手段３１ａから３１ｄの制御フローチャートを図４５に示す。図に示すように第十換気扇制御手段３１は、換気扇に強あるいは弱ノッチの運転指令状態を記憶する。次に各室の積算換気量を入力し、入力した各室の積算換気量情報から強弱各ノッチの閾値を超えていた場合、ノッチを切り換えるように出力制御している。
【０１８３】
上記構成において、第十換気扇制御手段３１は、各室の積算換気量により、各換気扇の強弱ノッチを制御することとなる。
【０１８４】
なお、本実施の形態においては、第十換気扇制御手段３１はノッチを切り換えるとしたが、無段階に切り換えるとしても作用効果に差異はない。
【０１８５】
（実施の形態２１）
図４６に示すように、換気集中制御装置２は、換気扇の固定風量運転、最適風量運転、手動風量運転を切り換える運転切換手段３２ａから３２ｄを備えている。また図４７に示すように、運転切換手段３２ａから３２ｄは、換気扇の定風量運転制御、最適風量運転制御、手動風量運転制御の各モード出力を行うモード出力部３２ｅから３２ｈと、何れの制御を実施するか入力する制御選択部３２ｉから３２Ｌを備えており、制御選択部３２ｉから３２Ｌにより入力した、各室の運転モードにより換気扇を制御するよう構成している。
【０１８６】
上記構成において、運転切換手段３２は、設定した運転モードにより各室の換気扇を制御することとなる。
【産業上の利用可能性】
【０１８７】
各室に取付けた温度、湿度、ＶＯＣセンサ、二酸化炭素センサ及び各センサの信号を各々の居室から監視、制御する集中制御装置を用いて容易に各室の最適な換気制御ができ、住宅内に限らずオフィスビルのような非居住空間に前記センサ及び集中制御装置を取付けることにより、設備規模の大きいビル空調の換気制御用途にも適用できる。
【図面の簡単な説明】
【０１８８】
【図１】本発明の実施の形態１の換気集中制御装置の構成図
【図２】同空気状態表示手段の説明図
【図３】同信号変換部のデータ変換フローチャート
【図４】同表示部の表示配置の説明図
【図５】本発明の実施の形態２の換気集中制御装置の構成図
【図６】同ＶＯＣセンサの構成図
【図７】同濃度変換部の変換アルゴリズムの説明図
【図８】本発明の実施の形態３の換気集中制御装置の構成図
【図９】同煙センサの構成図
【図１０】同煙発生判定部の判定アルゴリズムの説明図
【図１１】本発明の実施の形態４の換気集中制御装置の構成図
【図１２】同二酸化炭素センサの構成図
【図１３】同二酸化炭素濃度判定部の判定アルゴリズムの説明図
【図１４】本発明の実施の形態５の換気集中制御装置の構成図
【図１５】同換気量検出手段の構成図
【図１６】同換気量変換部の換気量判定アルゴリズムの説明図
【図１７】本発明の実施の形態６の換気集中制御装置の構成図
【図１８】同運転状態出力手段の構成図
【図１９】本発明の実施の形態７の換気集中制御装置の構成図
【図２０】同換気異常検出手段の検出アルゴリズムの説明図
【図２１】本発明の実施の形態８の換気集中制御装置の構成図
【図２２】同換気風路異常検出手段の検出フローチャート
【図２３】本発明の実施の形態９の換気集中制御装置の構成図
【図２４】同換気扇メンテナンス検出手段の説明図
【図２５】本発明の実施の形態１０の換気集中制御装置の構成図
【図２６】本発明の実施の形態１１の換気集中制御装置の構成図
【図２７】同換気扇制御手段の構成図
【図２８】本発明の実施の形態１２の換気集中制御装置の構成図
【図２９】同第二換気扇制御手段の構成図
【図３０】本発明の実施の形態１３の換気集中制御装置の構成図
【図３１】同第三換気扇制御手段の構成図
【図３２】本発明の実施の形態１４の換気集中制御装置の構成図
【図３３】同第四換気扇制御手段の構成図
【図３４】本発明の実施の形態１５の換気集中制御装置の構成図
【図３５】同第五換気扇制御手段の構成図
【図３６】本発明の実施の形態１６の換気集中制御装置の構成図
【図３７】同第六換気扇制御手段の構成図
【図３８】本発明の実施の形態１７の換気集中制御装置の構成図
【図３９】同第七換気扇制御手段の構成図
【図４０】本発明の実施の形態１８の換気集中制御装置の構成図
【図４１】同第八換気扇制御手段の構成図
【図４２】本発明の実施の形態１９の換気集中制御装置の構成図
【図４３】同第九換気扇制御手段の構成図
【図４４】本発明の実施の形態２０の換気集中制御装置の構成図
【図４５】同第十換気扇制御手段の制御フローチャート
【図４６】本発明の実施の形態２１の換気集中制御装置の構成図
【図４７】同運転切換手段の構成図
【図４８】従来の自動制御装置を示す構成図
【図４９】同第二実施例を示す構成図
【符号の説明】
【０１８９】
１  空気状態検出手段
２  換気集中制御装置
３  空気状態表示手段
４  ＶＯＣセンサ
５  ＶＯＣ濃度表示手段
６  煙センサ
７  煙状態表示手段
８  二酸化炭素センサ
９  二酸化炭素濃度表示手段
１０  換気量検出手段
１１  換気量表示手段
１２  運転状態出力手段
１３  換気扇運転状態表示手段
１４  換気異常検出手段
１５  換気異常表示手段
１６  換気風路異常検出手段
１７  換気風路異常表示手段
１８  換気扇メンテナンス検出手段
１９  換気扇メンテナンス表示手段
２０  表示切換手段
２１  換気扇制御手段
２２  第二換気扇制御手段
２３  第三換気扇制御手段
２４  第四換気扇制御手段
２５  第五換気扇制御手段
２６  第六換気扇制御手段
２７  第七換気扇制御手段
２８  第八換気扇制御手段
２９  積算換気量演算手段
３０  第九換気扇制御手段
３１  第十換気扇制御手段
３２  運転切換手段
【図１】
2005098571.tif 000003
【図２】
2005098571.tif 000004
【図３】
2005098571.tif 000005
【図４】
2005098571.tif 000006
【図５】
2005098571.tif 000007
【図６】
2005098571.tif 000008
【図７】
2005098571.tif 000009
【図８】
2005098571.tif 000010
【図９】
2005098571.tif 000011
【図１０】
2005098571.tif 000012
【図１１】
2005098571.tif 000013
【図１２】
2005098571.tif 000014
【図１３】
2005098571.tif 000015
【図１４】
2005098571.tif 000016
【図１５】
2005098571.tif 000017
【図１６】
2005098571.tif 000018
【図１７】
2005098571.tif 000019
【図１８】
2005098571.tif 000020
【図１９】
2005098571.tif 000021
【図２０】
2005098571.tif 000022
【図２１】
2005098571.tif 000023
【図２２】
2005098571.tif 000024
【図２３】
2005098571.tif 000025
【図２４】
2005098571.tif 000026
【図２５】
2005098571.tif 000027
【図２６】
2005098571.tif 000028
【図２７】
2005098571.tif 000029
【図２８】
2005098571.tif 000030
【図２９】
2005098571.tif 000031
【図３０】
2005098571.tif 000032
【図３１】
2005098571.tif 000033
【図３２】
2005098571.tif 000034
【図３３】
2005098571.tif 000035
【図３４】
2005098571.tif 000036
【図３５】
2005098571.tif 000037
【図３６】
2005098571.tif 000038
【図３７】
2005098571.tif 000039
【図３８】
2005098571.tif 000040
【図３９】
2005098571.tif 000041
【図４０】
2005098571.tif 000042
【図４１】
2005098571.tif 000043
【図４２】
2005098571.tif 000044
【図４３】
2005098571.tif 000045
【図４４】
2005098571.tif 000046
【図４５】
2005098571.tif 000047
【図４６】
2005098571.tif 000048
【図４７】
2005098571.tif 000049
【図４８】
2005098571.tif 000050
【図４９】
2005098571.tif 000051